(57)【特許請求の範囲】
【請求項１】
交流電圧を発生する電源、
１次コイルと２次コイルとを有し、前記１次コイルの一端と前記２次コイルの一端が前記電源の一方の端子に接続されたパルストランス、
前記２次コイルの他端と前記電源の他方の端子との間に接続された放電灯、
前記電源の第２の端子に一方の端子を接続されたインピーダンス素子と、このインピーダンス素子の他端をコンデンサの一方の端子に接続し、このコンデンサの他端を前記電源の第１の端子に接続した直列接続体からなる第１の直列接続回路、
コンデンサとこのコンデンサの両極にそれぞれ直列に接続されたインピーダンス素子とからなり前記電源に並列に接続された第２の直列接続回路、
前記第１の直列接続回路の前記コンデンサと前記第２の直列接続回路の前記コンデンサとを順直列に接続する第１スイッチ回路、
前記第２の直列接続回路の前記コンデンサの一端を前記パルストランスの前記１次コイルの他端に接続する第２スイッチ回路を備え、
前記電源に並列に接続された第１及び第２の直列接続回路の各コンデンサが充電されたとき、前記複数の直列接続回路の全てのコンデンサを同じ極性方向に直列接続するとともに前記１次コイルの他端に放電する構成において前記第１の直列接続回路の１素子のインピーダンス素子の値を前記第２の直列接続回路の２素子のインピーダンス素子のそれぞれの値の略２倍とし、
更に、前記第１と第２の直列接続回路のコンデンサの値を略同等としたことを特徴とする放電灯用イグナイタ回路。
【請求項２】
複数の第２の直列接続回路と、
前記複数の第２の直列接続回路のコンデンサを互いに順直列に接続する複数の第１Ｘスイッチ回路を備えたことを特徴とする請求項１に記載の放電灯用イグナイタ回路。
【請求項３】
交流電圧を発生する電源、１次、２次コイルを有し前記１次コイルの一端と前記２次コイルの一端が前記電源の第１の端子に接続されたパルストランス、前記２次コイルの他端と前記電源の第２の端子との間に接続された放電灯、
前記電源の第２の端子に一方の端子を接続されたインピーダンス素子と、このインピーダンス素子の他端をコンデンサの一方の端子に接続し、
このコンデンサの他端を前記パルストランスの前記１次コイルの他端に接続した直列接続体からなる第１の直列接続回路、
コンデンサとこのコンデンサの両極にそれぞれ直列に接続されたインピーダンス素子とからなり前記電源に並列に接続された第２の直列接続回路、
前記第１の直列接続回路の前記コンデンサと前記第２の直列接続回路の前記コンデンサとを順直列に接続する第１スイッチ回路、
前記第２の直列接続回路の前記コンデンサの一端を前記電源の第１の端子に接続する第２スイッチ回路を備え、
前記電源に並列に接続された第１及び第２の直列接続回路の各コンデンサが充電されたとき、前記複数の直列接続回路の全てのコンデンサを同じ極性方向に直列に接続すると共に前記電源の第１の端子に放電する構成において
前記第１の直列接続回路の１素子のインピーダンス素子の値を前記第２の直列接続回路の２素子のインピーダンス素子のそれぞれの値の略２倍とし、
更に、前記第１と第２の直列接続回路のコンデンサの値を略同等としたことを特徴とする放電灯用イグナイタ回路。
【請求項４】
複数の第２の直列接続回路と、
前記複数の第２の直列接続回路のコンデンサを互いに順直列に接続する複数の第１Ｘスイッチ回路を備えたことを特徴とする請求項３に記載の放電灯用イグナイタ回路。
【請求項５】
インピーダンス素子として抵抗器を、第１、第１Ｘ、第２スイッチ回路として所定の電圧で導通する定電圧スイッチング素子を用いたことを特徴とする請求項１〜４のいずれか一項に記載の放電灯用イグナイタ回路。
【発明の詳細な説明】
【０００１】
【発明の属する技術分野】
この発明は、車両の前照灯に使用される放電灯を起動するため高電圧を発生するイグナイタ回路の改良に関するものである。
【０００２】
【従来の技術】
自動車の前照灯として、メタルハライドランプ等の放電灯が使用されている。  このような放電灯は、高電圧のパルスを印加する必要があるため、かならず高電圧パルス発生回路（以下、イグナイタ回路と言う）が用いられている。
【０００３】
図７は例えば特開平７−９４２８９号公報に示されたものと類似の従来のイグナイタ回路の構成を示す。図において、１は車両の前照灯などとして使用されている放電灯（この明細書中ではＬａとも言う）、５０は直流電圧を供給するバッテリ、４はバッテリ５０の直流電圧を３５０乃至４００Ｖの高電圧に昇圧する昇圧回路、３は昇圧回路４から供給される直流電圧をパルス電圧に変換するインバータ回路、２はインバータ回路３から供給されるパルス電圧をもとに放電灯１を起動するための高電圧（１０数ＫＶ）を発生するイグナイタ回路である。
【０００４】
昇圧回路４とインバータ回路３は交流電圧を発生する電源として、その構成と動作は一般に知られたものであり、又、本願発明に直接的関係が薄いので、その動作説明を省略する。イグナイタ回路２の構成と動作について、図８に従来の基本的な構成を示す。図において１１は、このイグナイタ回路の入力端子ａ、ｂ間に並列に接続された第１の直列接続回路であり、第１の抵抗Ｒ１と、第１のコンデンサＣ１とで構成されている。５はパルストランス（本明細書の中ではＰＴとも言う）であり、数ターン程度の１次巻線と数１００ターンの２次巻線（１次巻線は２次巻線の中間タップのものもある）を有し、２次巻線は放電灯１と直列接続されて、端子ａ、ｂ間に接続されている。定電圧スイッチング素子Ｓ１とＰＴ５の１次巻線とが直列接続されたものが、第１のコンデンサＣ１に並列に接続されている。定電圧スイッチング素子Ｓ１は所定の電圧が印加されるまでは不導通で、所定以上の電圧が印加されると導通する素子である。
【０００５】
図８の回路の動作について図９の波形説明図により説明する。インバータ回路３からは、図９（ａ）に示すように極性がプラスＶ１〜マイナスＶ１に反転するパルス電圧がイグナイタ回路２の端子ａ、ｂ間に供給される。
【０００６】
電源から電圧が端子ａ−ｂ間に印加されると、第１のコンデンサＣ１の両端電圧は、図９（ｂ）に示すように、時定数Ｒ１Ｃ１で変化するが（パルストランス５の１次巻線側から見たインピーダンスは極めて小さいので時定数には影響が小さい）、この電圧は同時に定電圧スイッチング素子Ｓ１の両端にもかかるので、やがて定電圧スイッチング素子Ｓ１のブレークオーバ電圧に達して、定電圧スイッチング素子Ｓ１がオンする。
【０００７】
このとき、第１のコンデンサＣ１の両端電圧がＰＴ５の１次巻線に印加され（図９（ｃ）のＶｐＴ）、ＰＴ５の２次巻線にはステップアップされた高電圧パルスが発生し、放電灯１にこの高電圧が印加される。ＰＴ５の１次巻線のインピーダンスは低いので、第１のコンデンサＣ１の電荷は急激に失われ、定電圧スイッチング素子Ｓ１に流れる電流も急激に減少し、やがてオフとなる。オフにならなかった場合でも、少なくとも電源のパルス電圧の極性が反転した時点で定電圧スイッチＳ１はオフする。
【０００８】
第１の直列接続回路１１と定電圧スイッチング素子Ｓ１とからなる回路によって１段のコンデンサ充・放電回路が構成されている。
【０００９】
定電圧スイッチング素子Ｓ１には、そのブレークオーバ電圧があまり高いものは得られず、また、放電灯１が必要とする高電圧は大変高い電圧なので、いきおいパルストランス５の１次／２次巻数比によるステップアップで高電圧を得る必要がある。しかし、１次コイルの巻数が数ターンと、限界まで減らされているので、パルストランス５の効率が高くなければ、巻数比どおりのステップアップが実現しない。そのためパルストランス５は、その寸法を大きくする必要があり、イグナイタ回路２の寸法が大きくなってしまうと言う問題が発生する。
【００１０】
【発明が解決しようとする課題】
以上に説明したように、従来のイグナイタ回路では、ＣＲ回路と定電圧スイッチ素子からなる１段の充・放電回路が用いられている。そしてこのような回路では、パルストランスの１次側に加え得るパルス電圧は少なくとも電源の出力電圧より高くすることは不可能である上、定電圧スイッチング素子の電圧の高いものは得られないので、パルストランスの巻数比を大きくしなければならず、結果的に１次コイルの巻数が少なくなって、回路の効率が上がらないと言う問題があった。
【００１１】
又、パルストランスの効率を落とさないために、パルストランスの外形が大きくなり、イグナイタ回路全体の外形が大形化すると言う問題があった。
【００１２】
この発明は、上記のような問題を解消し、パルストランスの１次側に、昇圧回路の出力電圧より高いパルス電圧を印加することができ、もって、巻数比をより低いものに下げ、それに伴いパルストランスの効率の低いものの使用を可能とし、もって、回路全体を小形化したイグナイタ回路を得ようとするものである。
【００１３】
【課題を解決するための手段】
この発明の放電灯のイグナイタ回路は、交流電圧を発生する電源、１次コイルと２次コイルとを有し前記１次コイルの一端と前記２次コイルの一端が前記電源の一方の端子に接続されたパルストランス、前記２次コイルの他端と前記電源の他方の端子との間に接続された放電灯、前記電源の第２の端子に一方の端子を接続されたインピーダンス素子と、このインピーダンス素子の他端をコンデンサの一方の端子に接続し、このコンデンサの他端を前記電源の第１の端子に接続した直列接続体からなる第１の直列接続回路、
コンデンサとこのコンデンサの両極にそれぞれ直列に接続されたインピーダンス素子とからなり前記電源に並列に接続された第２の直列接続回路、
前記第１の直列接続回路の前記コンデンサと前記第２の直列接続回路の前記コンデンサとを順直列に接続する第１スイッチ回路、
前記第２の直列接続回路の前記コンデンサの一端を前記パルストランスの前記１次コイルの他端に接続する第２スイッチ回路を備え、
前記電源に並列に接続された第１及び第２の直列接続回路の各コンデンサが充電されたとき、前記複数の直列接続回路の全てのコンデンサを同じ極性方向に直列接続するとともに前記１次コイルの他端に放電する構成において前記第１の直列接続回路の１素子のインピーダンス素子の値を前記第２の直列接続回路の２素子のインピーダンス素子のそれぞれの値の略2倍とし、
更に、前記第１と第２の直列接続回路のコンデンサの値を略同等としたものである。
【００１４】
また、複数の第２の直列接続回路と、
前記複数の第２の直列接続回路のコンデンサを互いに順直列に接続する複数の第１Ｘスイッチ回路を備えたものである。
【００１５】
また、交流電圧を発生する電源、１次、２次コイルを有し前記１次コイルの一端と前記２次コイルの一端が電源の一方の端子に接続されたパルストランス、前記２次コイルの他端と前記電源の他方の端子との間に接続された放電灯、前記電源の第２の端子に一方の端子を接続されたインピーダンス素子と、このインピーダンス素子の他端をコンデンサの一方の端子に接続し、
このコンデンサの他端を前記パルストランスの前記１次コイルの他端に接続した直列接続体からなる第１の直列接続回路、
コンデンサとこのコンデンサの両極にそれぞれ直列に接続されたインピーダンス素子とからなり前記電源に並列に接続された第２の直列接続回路、
前記第１の直列接続回路の前記コンデンサと前記第２の直列接続回路の前記コンデンサとを順直列に接続する第１スイッチ回路、
前記第２の直列接続回路の前記コンデンサの一端を前記電源の第１の端子に接続する第２スイッチ回路を備え、
前記電源に並列に接続された第１及び第２の直列接続回路の各コンデンサが充電されたとき、前記複数の直列接続回路の全てのコンデンサを同じ極性方向に直列に接続すると共に前記電源の第１の端子に放電する構成において
前記第１の直列接続回路の１素子のインピーダンス素子の値を前記第２の直列接続回路の２素子のインピーダンス素子のそれぞれの値の略２倍とし、
更に、前記第１と第２の直列接続回路のコンデンサの値を略同等としたものである。
【００１６】
また、複数の第２の直列接続回路と、
前記複数の第２の直列接続回路のコンデンサを互いに順直列に接続する複数の第１Ｘスイッチ回路を備えたものである。
【００１７】
また、インピーダンス素子として抵抗器を、第１、第２スイッチ回路として所定の電圧で導通する定電圧スイッチング素子を用いたものである。
【００１８】
【発明の実施の形態】
実施の形態１．
図１にこの発明によるイグナイタ回路２を示す。なお、以下説明する図に於いて、従来の図と同符号のものは、同一、又は相当部分を示すので、その詳細な説明は省略する。
図において、３はイグナイタ回路２の入力端子ａ，ｂに接続されたインバータ回路（交流電圧を発生する電源）、１１はこのイグナイタ回路２の入力端子ａ、ｂ間に並列に接続された第１の直列接続回路であり、抵抗Ｒ１とコンデンサＣ１との直列接続体で構成されている。５はパルストランスであり、数ターン程度（従来のものよりはターン数が多い）の１次コイルと数１００ターンの２次コイル（１次コイルは２次コイルの中間タップでもよい）を有し、２次コイルは放電灯１と直列接続されて、端子ａ、ｂ間に接続されている。
１２は端子ａ、ｂ間に並列接続された第２の直列接続回路であり、端子ａに接続される抵抗Ｒ２とこれに直列に接続されたコンデンサＣ２と、これに直列で、かつ、端子ｂに接続される抵抗Ｒ’２とで構成される。なお、抵抗Ｒ２が端子ａに、抵抗Ｒ’２が端子ｂに接続されている。
【００１９】
更に抵抗Ｒ１とコンデンサＣ１との接続点から、コンデンサＣ２と抵抗Ｒ’２との接続点へ定電圧スイッチング素子Ｓ１が接続されている（第１スイッチ回路と言う）。コンデンサＣ２と抵抗Ｒ２との接続点から第２のスイッチング素子Ｓ２がパルストランス５の１次コイルへと接続されている（第２スイッチ回路と言う）。
【００２０】
第１、第２の直列接続回路１１、１２の回路の定数は、
Ｃ１≒Ｃ２
（１／２）・Ｒ１≒Ｒ２≒Ｒ’２
Ｓ１のブレークオーバ電圧≒Ｓ２のブレークオーバ電圧
となるように選定されている。即ち全ての直列接続回路の時定数はほぼ同じ値に、また、全てのコンデンサの容量はほぼ同じ値に設定されている。
【００２１】
図１の回路の動作について、図２の等価回路図と図３の波形説明図により説明する。インバータ回路３からは、図３（ａ）に示すように、極性がプラス・マイナスｅに反転するパルス電圧が、イグナイタ回路２の端子ａ、ｂ間に供給される。
【００２２】
最初は図２のように定電圧スイッチング素子Ｓ１、Ｓ２はオフしているので、コンデンサＣ１の両端電圧は、図３（ｂ）に示すように、時定数Ｒ１Ｃ１で上昇するが、この電圧は同時に定電圧スイッチング素子Ｓ１にかかる。
【００２３】
一方、コンデンサＣ２の両端電圧もＲ１Ｃ１と同じ時定数、（Ｒ２＋Ｒ’２）Ｃ２≒Ｒ１Ｃ２≒Ｒ１Ｃ１で上昇する。そして、コンデンサＣ２と抵抗Ｒ２の接続点の電圧は、図３（ｃ）に、又、Ｃ２と抵抗Ｒ’２の接続点の電圧は図３（ｄ）に示すように変化する。
【００２４】
したがって、定電圧スイッチング素子Ｓ１には、（ｅ）の波形≒〔（ｂ）の波形−（ｄ）の波形〕の波形が、又、Ｓ２には（ｃ）の波形の電圧がそのまま加わる。Ｓ１に加わる電圧（図（ｅ））よりもＳ２に加わる電圧（図（ｃ））の方が高いので、やがて定電圧スイッチング素子Ｓ２がブレークする（図２のスイッチＳ２がオンする）。
【００２５】
パルストランス５の一次コイルのインピーダンスは極めて小さいので、定電圧スイッチング素子Ｓ２がブレークすると、見かけ上、コンデンサＣ２と抵抗Ｒ２の接続点が端子ｂに短絡接続されたかのような状態となり、第２のコンデンサＣ２と第３の抵抗Ｒ’２との接続点の電圧が急に低下し、定電圧スイッチング素子Ｓ１には、コンデンサＣ１の電圧とコンデンサＣ２の電圧が加算された電圧が印加されることになり、定電圧スイッチ素子Ｓ１は直ちにオンする。
これにより、見かけ上、図２のスイッチＳ１とＳ２がほぼ同時にオンとなるので、コンデンサＣ１とコンデンサＣ２とが順直列（充電されている電圧の極性が同じ方向となるような直列）に接続されてＰＴの１次コイルに接続される。
即ち、見かけ上、定電圧スイッチング素子Ｓ２は、そのブレーク電圧よりはるかに高い電圧が加わってからオンするように見えると言うことも出来、パルストランス５の１次コイルには、上記第１、第２のコンデンサの加算した電圧（ほぼ２倍の電圧）が加わるので高い２次電圧が発生する。
【００２６】
図１のイグナイタ回路では、パルストランス５の１次コイルに加わる電圧が、ほぼ２倍になるので、従来と同じ２次電圧を発生させるには、パルストランス５の１次コイルの巻数を２倍にすることができ（あるいは２次コイルの巻数を１／２に）、結果としてパルストランスの効率が向上する。そして、パルストランスを小形化することができる。この小形化の程度は、回路を第１の直列接続回路と第２の直列接続回路との２段にしたことによる体積の増加を打ち消して余りあるものとなり、全体としてイグナイタ回路の小形化が達成できる。
【００２７】
インバータ回路３は交流電圧を発生する電源である。各抵抗はインピーダンス素子とも言う。定電圧スイッチング素子はスイッチ回路とも言う。定電圧スイッチング素子Ｓ１の接続回路は第１スイッチ回路である。定電圧スイッチング素子Ｓ２の接続回路は第２スイッチ回路である。図１ではパルストランス５は１次、２次コイルが別巻きトランスとしてあるが、勿論、１次コイル端子を２次コイルの中間から引き出すオートトランスとしても良いことは言うまでもない。第１、第２の直列接続回路はいずれもインピーダンス素子とコンデンサとの直列接続体からなるものである。
【００２８】
実施の形態２．
図４に本発明の実施の形態２による放電灯用イグナイタ回路を示す。実施の形態１の図１のものが、第１、第２の直列接続回路１１、１２を用いて、充電回路を２段にしたのに対し、本実施の形態では３段以上の回路を接続して用いている（同じ回路の繰り返しとなるので図では途中の部分を省略している）。図に於いて、１３は第（Ｎ）段の直列接続回路を示し、第２の直列接続回路１２と同じ構成である、即ち、端子ａに接続される抵抗Ｒ２と、端子ｂに接続される抵抗Ｒ’２とこの２つの抵抗の間に直列に接続されるコンデンサＣ２とで構成される。定電圧スイッチング素子ＳＮは第（Ｎ）段のコンデンサＣ２とパルストランスＰＴの一次側端子との間を接続するもので第２スイッチ回路と言う。第１の直列接続回路１１から第（Ｎ）の直列接続回路までの全てのコンデンサを順直列に接続する定電圧スイッチング素子Ｓ１〜Ｓ（Ｎ−１）は第１スイッチ回路とも言う。
【００２９】
理解を助けるため、この第１スイッチ回路のうち、第１の直列接続回路１１のコンデンサと第２の直列接続回路のコンデンサとを接続するスイッチ（Ｓ１）を第１のスイッチ回路と呼び、第２の直列接続回路１２のコンデンサを互いに順直列に接続する第１のスイッチ回路（Ｓ２〜Ｓ（Ｎ−１））は第１Ｘのスイッチ回路と呼んで区別する。
【００３０】
全ての定電圧スイッチング素子Ｓ１〜Ｓ（Ｎ）が見かけ上同時にオンすることにより、ＰＴ５の１次コイルには、コンデンサＣ１に充電される電圧の約（Ｎ）倍の電圧が印加される。
【００３１】
回路定数は、例えば
Ｃ１≒Ｃ２
（１／２）・Ｒ１≒Ｒ２≒Ｒ’２
Ｓ１〜Ｓ（Ｎ）のブレーク電圧はほぼ同じ値
となるように選定する。即ち全ての直列接続回路の時定数はほぼ同じ値に、また、全てのコンデンサの容量はほぼ同じ値に設定されている。
【００３２】
パルストランス５の１次コイルに加わる電圧が、ほぼ（Ｎ）倍に高くなるので、従来と同じ２次電圧を発生させるには、パルストランス５の１次コイルの巻数を（Ｎ）倍にすることができ、パルストランスの効率が向上するので、パルストランスを小形化することができる。Ｎが数段まではこの小形化の程度は、回路をＮ段にしたことによる体積の増加を打ち消して余りあるものとなり、全体としてイグナイタ回路の小形化が達成できるが、Ｎをあまり大きくすると効率向上にともなう小型化の効果が減少するので、適宜、適当な段数を選定すればよい。
【００３３】
以上の説明において、（１／２）・Ｒ１≒Ｒ２≒Ｒ’２
Ｃ１≒Ｃ２
と説明したが、このようにすることが効率が良いと言う意味であって、数１０％程度異なる値を選定しても、基本的な動作に変わりはない。又、定電圧スイッチング素子のブレークオーバ電圧はほぼ同一値とすると説明したが、これも数１０％程度の範囲で変動を許容できる。ブレークオーバ電圧のばらつきが大きい場合、最初にブレークする素子がパルストランスＰＴ５に接続された素子ではないと言うことも生じるが、一つの素子がブレークしたとき、ブレークした素子に接続されるコンデンサの電圧が他の素子に印加されることになり、連鎖的にブレーク状態が他の素子に及ぶので、どの素子からブレークが発生しても同じ結果が得られる。
【００３４】
又、電源はパルス電源として説明したが、交流電源であっても、大差のない結果が得られる。又、抵抗の代わりにリアクトルを用いることが可能である。
【００３５】
実施の形態３．
図５にこの発明の実施の形態３によるイグナイタ回路を示す。これは第１の直列接続回路１１を用いないで、第２の直列接続回路１２を２段用いた例である。即ち、第２の直列接続回路１２は端子ａと端子ｂ間に２組接続され、定電圧スイッチング素子Ｓ１、Ｓ２の接続は図１と同じだが、定電圧スイッチング素子Ｓ３が図のように片方の第２の直列接続回路１２の抵抗Ｒ’２を短絡するように接続されている。以上のように細部の差はあるが、その回路動作は図１の場合とほとんど同様であり、得られる効果も同じである。
【００３６】
実施の形態４．
図６にこの発明の実施の形態４によるイグナイタ回路を示す。これは第１、第２の直列接続回路１１、１２を１段ずつ用いた例であり、その配置が実施の形態１の図１の場合とは異なっている。即ち、第１の直列接続回路１１は端子ａ（第２の端子と言う）とＰＴ５の１次コイル端子間に接続され、また、定電圧スイッチング素子Ｓ２は抵抗Ｒ２とコンデンサＣ２との接続点と端子ｂ（第１の端子と言う）との間に接続されている。しかしながら、その回路動作は図１の場合とほとんど同様で、ただ、パルストランス５に印加される電圧の極性が図１の場合とは逆になるが、トランスの位相を考慮して接続すれば、得られる効果は図１と同じである。また、図６の場合、コンデンサＣ１への充電電流がパルストランス５の１次コイルを流れると言う点で図１と異なるが微弱であるので影響はない。
【００３７】
【発明の効果】
以上に説明したように、この発明の放電灯用イグナイタ回路は、インピーダンス素子とコンデンサとの直列接続体からなり電源に並列に接続された複数の直列接続回路と、この直列接続回路の各コンデンサが充電されたとき各コンデンサを極性が同じ方向に直列に接続し、パルストランスの１次コイルに接続して放電するスイッチ回路とを備えているので、電源電圧よりも高い電圧をパルストランスの１次側に印加することが可能となり、パルストランスの効率を改善でき、パルストランスを小形化できると言う効果が得られる。
【００３８】
又、コンデンサとこのコンデンサに直列に接続されたインピーダンス素子とからなり交流電源に並列に接続された第１の直列接続回路、コンデンサとこのコンデンサの両極にそれぞれ直列に接続されたインピーダンス素子とからなり電源に並列に接続された第２の直列接続回路、全てのコンデンサを順直列に接続する第１スイッチ回路、第２の直列接続回路のコンデンサをパルストランスの１次コイルに接続する第２スイッチ回路とを備えているので、電源電圧より高い電圧をパルストランスの１次側に印加することが可能となり、回路の効率を改善でき、パルストランスを小形化できると言う効果が得られる。
【００３９】
又、コンデンサとこのコンデンサに直列に接続されたインピーダンス素子とからなり交流電源に並列に接続された第１の直列接続回路、コンデンサとこのコンデンサの両端にそれぞれ直列に接続されたインピーダンス素子とからなりそれぞれが前記電源に並列に接続された複数の第２の直列接続回路、
第１の直列接続回路のコンデンサと第２の直列接続回路のコンデンサとを接続する第１のスイッチ回路、第２の直列接続回路の全コンデンサを互いに順直列に接続する１個以上の第１Ｘスイッチ回路、第２の直列接続回路のコンデンサの１個を１次コイルに接続する第２スイッチ回路を備えているので、電源電圧より高い電圧をパルストランスの１次側に印加することが可能となり、回路の効率を改善でき、パルストランスを小形化できると言う効果が得られる。
【００４０】
又、インピーダンス素子とコンデンサとの直列接続体からなり１次コイルの他端と交流電源の第２の端子に接続された第１の直列接続回路、インピーダンス素子とコンデンサとの直列接続体からなり電源に並列に接続された第２の直列接続回路、各コンデンサに充電されたとき全コンデンサを同じ極性方向に順直列に接続して第１の端子に放電するスイッチ回路を備えているので、電源電圧より高い電圧をパルストランスの１次側に印加することが可能となり、回路の効率を改善でき、パルストランスを小形化できると言う効果が得られる。
【００４１】
また、インピーダンス素子として抵抗器を、第１、第２スイッチ回路として所定の電圧で導通する定電圧素子を用いているので回路が簡素化出来るという効果が得られる。
【００４２】
また、全ての直列接続回路の時定数がほぼ等しく構成されているので、各コンデンサに充電される電圧がほぼ等しくなり、回路の効率が良いという効果が得られる。
【００４３】
また、全ての直列接続回路のコンデンサの容量がほぼ等しく構成されているので、放電時に各コンデンサの電荷の放出が同じ速さとなり、回路の効率が向上する。
【図面の簡単な説明】
【図１】  この発明の実施の形態１による放電灯のイグナイタ回路の回路図である。
【図２】  図１の動作を説明する等価回路図である。
【図３】  図１、図２の動作を説明するタイムチャートである。
【図４】  この発明の実施の形態２による放電灯のイグナイタ回路の回路図である。
【図５】  この発明の実施の形態３による放電灯のイグナイタ回路の回路図である。
【図６】  この発明の実施の形態４による放電灯のイグナイタ回路の回路図である。
【図７】  放電灯の点灯回路の構成説明図である。
【図８】  従来のイグナイタ回路の回路図である。
【図９】  図８の動作を説明するタイムチャートである。
【符号の説明】
１  放電灯、      ２  イグナイタ回路、
３  インバータ回路（交流電源）、
４  昇圧回路、    ５  パルストランス、    １１  第１の直列接続回路、    １２  第２の直列接続回路、
Ｓ１  定電圧スイッチング素子（第１スイッチ回路）、
Ｓ２  定電圧スイッチング素子（第２スイッチ回路）。
【図１】
0004343362.tif 000002
【図２】
0004343362.tif 000003
【図３】
0004343362.tif 000004
【図４】
0004343362.tif 000005
【図５】
0004343362.tif 000006
【図６】
0004343362.tif 000007
【図７】
0004343362.tif 000008
【図８】
0004343362.tif 000009
【図９】
0004343362.tif 000010